(57)【要約】  本発明は、実質的に円筒形の物体の表示のための広告スタンド装置（２）に関する。当該装置は、マスト（８）と少なくとも部分的に上向きに凸のアーチ形状を持つブラケットとを有する骨組み（４）と、骨組み（４）に係合するのに適した帆（６）とを備える。帆（６）は、ブラケットを覆うように少なくとも部分的に上向きに凸のアーチ形状を持つ上縁（１４）と、上縁（１４）とは逆に少なくとも部分的に下向きに凸のアーチ形状を持つ少なくとも１つの下縁（１６）と、第１及び第２の側縁（１８，２０）と、１つのパターンを備えた少なくとも１つの広告スタンド面（２２）とを有する。当該パターンは、上縁（１４）の両端から延びて少なくとも部分的に下向きに凸のアーチ形状をなす線（２６）、又は下縁の両端から延びて少なくとも部分的に上向きに凸のアーチ形状をなす線を特徴として持つ。
2015524085.tif 000002
【特許請求の範囲】
【請求項１】
缶、缶詰又は瓶のような実質的に円筒形の物体の表示のための広告スタンド装置（２；２'；２''；２'''；２''''；２'''''）であって、
マスト（８；８'''''）と、少なくとも部分的に上向きに凸のアーチ形状で前記マスト（８；８'''''）に取り付けられたブラケット（１２；１１２）とを有する骨組み（４；４'''''）と、
前記骨組み（４）に係合するように適合させられた帆（６，６'，６''，６'''，６''''）とを備え、
前記帆（６）は、
前記ブラケット（１２；１１２）を覆うように少なくとも部分的に上向きに凸のアーチ形状で設けられた上縁（１４）と、
前記上縁（１４）とは逆に下向きに凸のアーチ形状をなす少なくとも１つの下縁（１６）と、
前記上縁（１４）と前記下縁（１６）とをつなぐ第１及び第２の側縁（１８，２０）と、
１つのパターンを備えた少なくとも１つの広告スタンド面（２２，２４）とを有し、
前記第１の側縁（１８）は、前記マスト（８；８'''''）を覆うように設けられ、
前記パターンは、前記上縁（１４）の両端から延びて少なくとも部分的に下向きに凸のアーチ形状をなす線（２６）、又は前記下縁の両端から延びて少なくとも部分的に上向きに凸のアーチ形状をなす線を特徴として持つことを特徴とする装置。
【請求項２】
請求項１記載の装置（２；２'；２''；２'''；２''''；２'''''）において、
前記ブラケット（１２）は、取り外し可能に前記マスト（８）に取り付けられていることを特徴とする装置。
【請求項３】
請求項２記載の装置（２；２'；２''；２'''；２''''；２'''''）において、
前記マスト（８）及び／又は前記ブラケット（１２；１１２）は管状であって、前記マスト（８）と前記ブラケット（１２；１１２）とは、圧入により互いに結合していることを特徴とする装置。
【請求項４】
請求項１〜３のいずれか１項に記載の装置（２；２'；２''；２'''；２''''；２'''''）において、
前記ブラケット（１１２）は、第１及び第２のブラケット片（１１２ａ，１１２ｂ）をつなぐ関節結合手段を有し、当該関節結合手段は、
前記両ブラケット片（１１２ａ，１１２ｂ）が実質的に互いに平行に延びる使用前の姿勢と、
前記両ブラケット片（１１２ａ，１１２ｂ）が実質的に互いに垂直に延びる使用中の姿勢との間の前記ブラケット（１１２）の変形を可能にすることを特徴とする装置。
【請求項５】
請求項４記載の装置（２；２'；２''；２'''；２''''；２'''''）において、
前記関節結合手段は、前記第１及び第２のブラケット片（１１２ａ，１１２ｂ）をつなぐボールジョイント（１１４）を有することを特徴とする装置。
【請求項６】
請求項１〜５のいずれか１項に記載の装置（２；２'；２''；２'''；２''''；２'''''）において、
前記帆（６，６'，６''，６'''，6'''''）は、カバーを形成し、
前記カバーは、
前記ブラケット（１２；１１２）を覆うように上向きに凸のアーチ形状で設けられた上縁（１４）と、
前記上縁（１４）とは逆に下向きに凸のアーチ形状をなす２つの下縁（１６）と、
前記上縁（１４）と前記下縁（１６）とをつなぐ第１及び第２の側縁（１８，２０）と、
２つの広告スタンド面（２２，２４）とを有し、
前記第１の側縁（１８）は、前記マスト（８）を覆うように設けられ、
前記２つの広告スタンド面のうちの少なくとも１つ（２２）は、１つのパターンを有し、当該パターンは、前記上縁（１４）の両端から延びて少なくとも部分的に下向きに凸のアーチ形状をなす線（２６）、又は前記２つの下縁（１６）のうちの１つの両端から延びて少なくとも部分的に上向きに凸のアーチ形状をなす線を特徴として持ち、
前記帆（６，６'，６''，６'''，６''''）は、前記２つの広告スタンド面（２２，２４）の間で、前記骨組み（４）が係合し得る中空部の境界を定めることを特徴とする装置。
【請求項７】
請求項１〜６のいずれか１項に記載の装置（２；２'；２''；２'''；２''''；２'''''）において、
前記骨組み（４）の上で前記帆（６）を拡げる手段を更に備えたことを特徴とする装置。
【請求項８】
請求項７記載の装置（２；２'；２''；２'''；２''''；２'''''）において、
前記骨組み（４）の上で前記帆（６，６'，６''，６'''，６''''）を拡げる手段は、
前記マスト（８）に取り付けられて、前記マスト（８）に対して横方向に延びるピン（２８）と、
前記ピン（２８）に取り付けられ易いように、前記帆（６，６'，６''，６'''，６''''）に結び付けられたストラップ（３０）とを有することを特徴とする装置。
【請求項９】
請求項１〜８のいずれか１項に記載の装置（２；２'；２''；２'''；２''''；２'''''）において、
前記ストラップ（３０）は、前記帆（６）に固定された２つのストラップ部分（３０ａ，３０ｂ）を有し、当該２つのストラップ部分（３０ａ，３０ｂ）の自由端には、フック片とループ布地のような相補の固定手段が備えられていることを特徴とする装置。
【請求項１０】
請求項１〜９のいずれか１項に記載の装置（２''；２'''）において、
前記帆（６''；６'''）に又は前記ブラケット（１２；１１２）に嵌め込まれた要素を更に備え、当該要素は、ストロー又は取っ手のような、前記実質的に円筒形の物体のための付属品を特徴として持つことを特徴とする装置。
【請求項１１】
請求項１〜１０のいずれか１項に記載の装置（２'''''）において、
下向きに凸の又は上向きに凸のアーチ形状をなす案内線（１２２）に沿って延びる、例えば商標のような、文字列（１２０）を更に備えたことを特徴とする装置。
【請求項１２】
請求項１１記載の装置（２'''''）において、
前記文字列（１２０）の文字は、前記文字列の中央から前記文字列の両端に向かって前記文字の大きさが小さくなるように、大きさが決められていることを特徴とする装置。
【請求項１３】
請求項１〜１２のいずれか１項に記載の装置（２'''''）において、
前記少なくとも１つの広告スタンド面（２２）は、上向きに凸の又は下向きに凸のアーチ形状の、陰影を特徴として持つ、少なくとも１つの領域（１２４）を有することを特徴とする装置。
【請求項１４】
請求項１〜１３のいずれか１項に記載の装置（２'''''）において、
前記マスト（８'''''）は、瓶又は缶の首の形状に適合するように凹みを有することを特徴とする装置。
【請求項１５】
缶、缶詰又は瓶のような実質的に円筒形の物体の表示のための広告スタンド装置（２；２'；２''；２'''；２''''；２'''''）の製造方法であって、
マスト（８）と、少なくとも部分的に上向きに凸のアーチ形状で前記マスト（８）に取り付けられるように適合させられたブラケット（１２；１１２）とを有する骨組み（４）を設けるステップと、
前記骨組み（４）に係合するように適合させられた帆（６，６'，６''，６'''，６''''）を設けるステップとを備え、
前記帆（６）は、
前記ブラケット（１２；１１２）を覆うように少なくとも部分的に上向きに凸のアーチ形状で設けられた上縁（１４）と、
前記上縁（１４）とは逆に下向きに凸のアーチ形状をなす少なくとも１つの下縁（１６）と、
前記上縁（１４）と前記下縁（１６）とをつなぐ第１及び第２の側縁（１８，２０）と、
少なくとも１つの広告スタンド面（２２，２４）とを有し、
前記少なくとも１つの広告スタンド面（２２，２４）に１つのパターンを設けるステップを更に備え、
前記第１の側縁（１８）は、前記マスト（８）を覆うように設けられ、
前記パターンは、前記上縁（１４）の両端から延びて少なくとも部分的に下向きに凸のアーチ形状をなす線（２６）、又は前記下縁（１６）の両端から延びて少なくとも部分的に上向きに凸のアーチ形状をなす線を特徴として持つことを特徴とする製造方法。
【発明の詳細な説明】
【技術分野】
【０００１】
本発明は、缶、缶詰又は瓶のような実質的に円筒形の物体の表示のための広告スタンド装置に関する。
【背景技術】
【０００２】
従来、次のような構成を備えた広告スタンド装置が知られている。すなわち、
２つのフープと、その中で垂直に立てられたマストとを有する骨組みであって、２つのフープは、ターンバックルによってマストに吊されたものと、
上縁及び下縁にて２つの環状シースを有し、その中に前記２つのフープが係合する管状の帆とを備えた装置である。
【０００３】
そのような装置は、実質的に円筒形の物体を３次元表示で公衆に提示できる点で有利である。
【０００４】
しかしながら、この装置は、高い風ファクタを有する。また戸外に、例えば浜辺に設置されたとき、当該装置は、風に吹き飛ばされたり、帆が破られたりし得る。
【０００５】
更に、当該装置は、人目を引くほどの全体の大きな寸法を有するので、屋内での使用には、特に狭い場所での表示スタンドには不向きである。
【０００６】
最後に、当該装置を組み立てたり、解体したりするのに長い時間を要し、実現に時間がかかる。
【０００７】
従来、次のような構成を備えた広告スタンド装置も知られている。すなわち、
マストと、当該マストに取り付けられた直線状のブラケットとを有する骨組みと、
上縁及び側縁にて各々前記ブラケット及び前記マストに係合するように適合させられたシースを有する矩形の帆とを備えた装置である。
【０００８】
帆は、缶又は缶詰を遠近法で表すパターンを有する。
【０００９】
当該装置が戸外に設置されるときには、風の抵抗が最小化されるように、風向きが帆に対して平行になるように当該装置の向きを決めれば十分である。更に、当該装置は、組み立てたり、解体したりするのが簡単になっている。
【００１０】
しかしながら、そのような装置は、缶又は缶詰が２次元の態様で表されていることが公衆にはっきりと気付かれる点で、問題点が残っている。また、公衆に対して３次元の装置が生じ得る訴求力が失われる。
【発明の概要】
【００１１】
本発明は、上記最後の問題点を解決することを目的とする。
【００１２】
本発明は、缶、缶詰又は瓶のような実質的に円筒形の物体の表示のための広告スタンド装置に関する。当該装置は、
マストと、少なくとも部分的に上向きに凸のアーチ形状でマストに取り付けられたブラケットとを有する骨組みと、
骨組みに係合するように適合させられた帆とを備える。帆は、
ブラケットを覆うように少なくとも部分的に上向きに凸のアーチ形状で設けられた上縁と、
上縁とは逆に下向きに凸のアーチ形状をなす少なくとも１つの下縁と、
上縁と下縁とをつなぐ第１及び第２の側縁と、
１つのパターンを備えた少なくとも１つの広告スタンド面とを有し、
第１の側縁は、マストを覆うように設けられ、上記パターンは、上縁の両端から延びて少なくとも部分的に下向きに凸のアーチ形状をなす線、又は下縁の両端から延びて少なくとも部分的に上向きに凸のアーチ形状をなす線を特徴として持つことを特徴とする。
【００１３】
帆の縁は、遠近法で見える実質的に円筒形の物体の外形の境界を定める。帆の全体、そして帆の上に表されたパターンのみによって、その物体が具現化される。
【００１４】
本発明に係る装置の帆は、物体の３次元表示の錯覚を増強することを可能にする。
【００１５】
この錯覚は、構造的特徴の組み合わせにより、すなわち、アーチ形状をなすブラケットと、上縁及び下縁がアーチ形状をなす帆と、広告スタンド面上でアーチ形状をなす線を特徴として持つパターンとの存在により、もたらされる。
【００１６】
上縁の両端から延びて下向きに凸のアーチ形状をなす線を、パターンが特徴として持つ場合には、物体を上から見ていると錯覚される。
【００１７】
下縁の両端から延びて上向きに凸のアーチ形状をなす線を、パターンが特徴として持つ場合には、物体を下から見ていると錯覚される。
【００１８】
アーチ形状をなす線を特徴として持つパターンは、いずれにせよ、広告情報を構成するのではなく、物体の３次元表示の錯覚に寄与する構造的特徴を構成するのである、と理解されるべきである。
【００１９】
ブラケットは、それが硬い場合、マストとともに、帆を拡げることを可能にする。
【００２０】
当該装置は、低い風ファクタを有する。当該装置は、表示スタンドとして使用するのに全く適した、低減された全体の寸法を有する。最後に、当該装置は、組み立てたり、解体したりするのが簡単かつ迅速である。
【００２１】
本発明に係る装置は、次の特徴のうちの１つ以上を含み得る。
【００２２】
１つの特徴によれば、帆の側縁は直線状である。
【００２３】
他の特徴によれば、ブラケットの曲率半径と、帆の上縁の曲率半径と、パターンが特徴として持つ線の曲率半径とは、同一である。これにより、物体の３次元表示の錯覚は、更に増強される。
【００２４】
他の特徴によれば、ブラケットの曲率半径と、帆の上縁の曲率半径と、パターンが特徴として持つ線の曲率半径とは、異なってもよい。１つの実施形態によれば、ブラケットは、取り外し可能にマストに取り付けられている。
【００２５】
これらの条件下で、当該装置の全体の寸法は、それが解体されたときに最小化される。
【００２６】
例えば、マスト及び／又はブラケットは管状であって、マストとブラケットとは、圧入により互いに結合している。
【００２７】
好都合には、ブラケットは、第１及び第２のブラケット片をつなぐ関節結合手段を有し、当該関節結合手段は、
両ブラケット片が実質的に互いに平行に延びる使用前の姿勢と、
両ブラケット片が実質的に互いに垂直に延びる使用中の姿勢との間のブラケットの変形を可能にする。
【００２８】
例えば、関節結合手段は、第１及び第２のブラケット片をつなぐボールジョイントを有する。
【００２９】
好ましい実施形態では、帆は、カバーを形成し、カバーは、
ブラケットを覆うように上向きに凸のアーチ形状で設けられた上縁と、
上縁とは逆に下向きに凸のアーチ形状をなす２つの下縁と、
上縁と下縁とをつなぐ第１及び第２の側縁と、
２つの広告スタンド面とを有し、
第１の側縁は、マストを覆うように設けられ、２つの広告スタンド面のうちの少なくとも１つは、１つのパターンを有し、当該パターンは、上縁の両端から延びて少なくとも部分的に下向きに凸のアーチ形状をなす線、又は２つの下縁のうちの１つの両端から延びて少なくとも部分的に上向きに凸のアーチ形状をなす線を特徴として持ち、
帆は、２つの広告スタンド面の間で、骨組みが係合し得る中空部の境界を定める。
【００３０】
これらの条件下で、帆は、ジャケット又はソックスのような態様で骨組みに係合する。
【００３１】
好ましくは、当該装置は、骨組みの上で帆を拡げる手段を更に備える。
【００３２】
例えば、骨組みの上で帆を拡げる手段は、
マストに取り付けられて、マストに対して横方向に延びるピンと、
ピンに取り付けられ易いように、帆に結び付けられたストラップとを有する。
【００３３】
好都合には、ストラップは、帆に固定された２つのストラップ部分を有し、当該２つのストラップ部分の自由端には、フック片とループ布地のような相補の固定手段が備えられている。
【００３４】
１つの特徴によれば、当該装置は、帆に又はブラケットに嵌め込まれた要素を更に備え、当該要素は、ストロー又は取っ手のような、実質的に円筒形の物体のための付属品を特徴として持つ。
【００３５】
１つの実施形態では、当該装置は、下向きに凸の又は上向きに凸のアーチ形状をなす案内線に沿って延びる、例えば商標のような、文字列を更に備える。
【００３６】
好ましくは、案内線は、帆の下縁と同じ曲率を持つ。
【００３７】
好都合には、文字列の文字は、文字列の中央から文字列の両端に向かって文字の大きさが小さくなるように、大きさが決められている。
【００３８】
１つの特徴によれば、少なくとも１つの広告スタンド面は、上向きに凸の又は下向きに凸のアーチ形状の、陰影を特徴として持つ、少なくとも１つの領域を有する。
【００３９】
これにより、物体の３次元視の錯覚が増強される。
【００４０】
他の特徴によれば、マストは、瓶又は缶の首の形状に適合するように凹みを有する。
【００４１】
また、本発明は、缶、缶詰又は瓶のような実質的に円筒形の物体の表示のための広告スタンド装置の製造方法に関する。当該製造方法は、
マストと、少なくとも部分的に上向きに凸のアーチ形状でマストに取り付けられるように適合させられたブラケットとを有する骨組みを設けるステップと、
骨組みに係合するように適合させられた帆を設けるステップとを備え、帆は、
ブラケットを覆うように少なくとも部分的に上向きに凸のアーチ形状で設けられた上縁と、
上縁とは逆に下向きに凸のアーチ形状をなす少なくとも１つの下縁と、
上縁と下縁とをつなぐ第１及び第２の側縁と、
少なくとも１つの広告スタンド面とを有し、
少なくとも１つの広告スタンド面に１つのパターンを設けるステップを更に備え、
第１の側縁は、マストを覆うように設けられ、上記パターンは、上縁の両端から延びて少なくとも部分的に下向きに凸のアーチ形状をなす線、又は下縁のうちの１つの両端から延びて少なくとも部分的に上向きに凸のアーチ形状をなす線を特徴として持つことを特徴とする。
【００４２】
本発明は、非限定の例により、本発明に係る実質的に円筒形の物体の表示のための広告スタンド装置の５つの実施形態を表す、添付した図面を参照し、以下の説明を用いることで、よりよく理解されるであろう。
【図面の簡単な説明】
【００４３】
【図１】キャップが閉じられた缶の表示のための第１の広告スタンド装置の前面図である。
【図２】図１の装置のII−II面に沿った断面図である。
【図３】図１の装置のIII−III面に沿った縦断面図である。
【図４】図１〜図３の装置に備えられる骨組みの組み立て状態における前面図である。
【図５】解体状態における図４の骨組みに備えられるブラケットの第１の実施形態の前面図である。
【図６】図４の骨組みに備えられるブラケットの第２の実施形態の使用前の姿勢における前面図である。
【図７】図６のブラケットの使用中の姿勢における前面図である。
【図８】角氷を有するグラスの表示のための第２の広告スタンド装置の前面図である。
【図９】ストローとスライスレモンとを有するグラスの表示のための第３の広告スタンド装置の前面図である。
【図１０】ビールジョッキの表示のための第４の広告スタンド装置の前面図である。
【図１１】キャップが開かれた缶の表示のための第５の広告スタンド装置の前面図である。
【図１２】瓶の表示のための第６の広告スタンド装置の前面図である。
【図１３】図１２の装置のIII−III面に沿った縦断面図である。
【発明を実施するための形態】
【００４４】
図１〜図３は、缶の表示のための広告スタンド装置２を示している。この装置２は、骨組み４と、骨組み４に係合した帆６とを含む。
【００４５】
骨組み４（図４及び図５に示されている。）は、垂直に立つマスト８を備える。このマスト８は、各々管状の下マスト片８ａと上マスト片８ｂとを有する。下マスト片８ａと上マスト片８ｂとは、圧入により互いに結合している。下マスト片８ａは、好ましくは安定化された脚１０の上にとめられている。
【００４６】
骨組み４は、マスト８に取り外し可能に取り付けられたブラケット１２をも有する。その限りで、ブラケット１２は、管状であって、上マスト片８ｂに対して圧入により互いに結合している。ブラケット１２は、上向きに凸のアーチ形状をしている。
【００４７】
帆６は、カバーを形成し、かつ、
ブラケット１２を覆うように上向きに凸のアーチ形状で設けられた上縁１４と、
上縁１４とは逆に下向きに凸のアーチ形状をなす２つの下縁１６と、
上縁１４と下縁１６とをつなぐ側縁１８，２０と、
各々１つのパターンを備えた２つの広告スタンド面２２，２４とを有し、
一方の側縁１８は、少なくとも部分的にマスト８を覆うように設けられ、上記パターンは、上縁１４の両端から延びて下向きに凸のアーチ形状をなす線２６を特徴として持つ。
【００４８】
ブラケット１２の曲率半径と、帆６の上縁１４の曲率半径と、パターンが特徴として持つ線２６の曲率半径とは、同一である。
【００４９】
帆６は、広告スタンド面２４，２６の間で、骨組み４がソックスのような態様で係合する中空部の境界を定める。
【００５０】
帆６は、骨組み４の形状によく適合するように十分な柔軟性を持ち、かつ帆６の中で係合している骨組み４を隠すように十分な不透明性を持つ材料からなる。例えば、帆６は、ポリエステルのメッシュ生地で構成され得る。
【００５１】
装置２は、骨組み４の上で帆６を拡げる手段を備える。帆を拡げる手段は、マスト８に取り付けられて、マスト８に対して横方向に延びるピン２８を有する。
【００５２】
帆６を拡げる手段は、ピン２８に取り付けられ易いように、帆６に結び付けられたストラップ３０をも有する。このストラップ３０は、帆６に固定された２つのストラップ部分３０ａ，３０ｂを有し、これらのストラップ部分３０ａ，３０ｂの自由端には、フック片とループ布地のような相補の固定手段が備えられている。
【００５３】
図６及び図７は、ブラケット片１１２ａ，１１２ｂをつなぐ関節結合手段を有する点を除いて上記ブラケット１２と同一の、ブラケット１１２を示している。ここで、関節結合手段は、
両ブラケット片１１２ａ，１１２ｂが実質的に互いに平行に延びる使用前の姿勢（図６に示されている。）と、
両ブラケット片１１２ａ，１１２ｂが実質的に互いに垂直に延びる使用中の姿勢（図７に示されている。）との間のブラケット１１２の変形を可能にする。
【００５４】
関節結合手段は、両ブラケット片１１２ａ，１１２ｂをつなぐボールジョイント１１４を有する。
【００５５】
例えば、ボールジョイント１１４は、
プラスチック材料、例えばポリカーボネートからなる複数のリングと、
両ブラケット片１１２ａ及び１１２ｂへの結合のためのチップを形成する２つのチューブと、
前記複数のリング及び前記２つのチューブに挿入されたエラストマー材料からなる要素とからなる。例えば、両ブラケット片１１２ａ，１１２ｂは、ポリカーボネートからなる。ボールジョイント１１４は、エラストマー材料で構成され得る。
【００５６】
図８は、帆６が帆６'に置き換えられた点を除いて上記装置２と同一の、装置２'を示している。帆６'は、グラスと角氷とが遠近法で見える、角氷を有するグラスの外形の境界を定める。
【００５７】
図９は、帆６が帆６''に置き換えられた点を除いて上記装置２と同一の、装置２''を示している。帆６''は、グラスとレモンとが遠近法で見える、その上にスライスレモンが固定されたグラスの外形の境界を定める。遠近法で見えるストローを特徴として持つように、１つの要素が帆に嵌め込まれている。
【００５８】
図１０は、帆６が帆６'''に置き換えられた点を除いて上記装置２と同一の、装置２'''を示している。帆６'''は、そこから泡が溢れ出るように、ジョッキと泡とが遠近法で見える、ビールジョッキの外形の境界を定める。遠近法で見える取っ手を特徴として持つように、１つの要素が帆に嵌め込まれている。
【００５９】
図１１は、帆６が帆６''''に置き換えられた点を除いて上記装置２と同一の、装置２''''を示している。帆６''''は、キャップが開かれて、缶とキャップとが遠近法で見える、缶の外形の境界を定める。
【００６０】
図１２及び図１３は、帆６が帆６'''''に置き換えられた点を除いて上記装置２と同一の、装置２'''''を示している。帆６'''''は、瓶が遠近法で見えるように、瓶の外形の境界を定める。
【００６１】
帆６'''''の広告スタンド面２２は、案内線１２２に沿って延びる、例えば商標「Ｂｏｔｔｌｅ  Ｆｌａｇ」のような文字列１２０を有する。案内線１２２は、帆６'''''の下縁１６と同様の曲率に従って、下向きに凸のアーチ形状をなす。文字列１２０の文字は、文字列１２０の中央から文字列１２０の両端に向かって文字の大きさが小さくなるように、大きさが決められている。更に、広告スタンド面２２は、下向きに凸のアーチ形状をなし、陰影を特徴として持つ領域１２４を有する。
【００６２】
最後に、骨組み４は、瓶の首の形状に適合するようにマスト８'''''が凹みを有するような骨組み４'''''に置き換えられている。
【００６３】
一例として挙げた上記広告スタンド装置の単一の実施形態に本発明が限定されるのではなく、全ての代替的な実施形態を本発明が含むことは、言うまでもない。
【００６４】
上記に代わって、マスト８は単一片のみからなってもよい。
【００６５】
また、上記に代わって、マスト８は伸縮式であってもよい。
【図１】
2015524085.tif 000003
【図２】
2015524085.tif 000004
【図３】
2015524085.tif 000005
【図４】
2015524085.tif 000006
【図５】
2015524085.tif 000007
【図６】
2015524085.tif 000008
【図７】
2015524085.tif 000009
【図８】
2015524085.tif 000010
【図９】
2015524085.tif 000011
【図１０】
2015524085.tif 000012
【図１１】
2015524085.tif 000013
【図１２】
2015524085.tif 000014
【図１３】
2015524085.tif 000015
【国際調査報告】
2015524085.tif 000016
2015524085.tif 000017
2015524085.tif 000018
2015524085.tif 000019
2015524085.tif 000020
2015524085.tif 000021